(57)【特許請求の範囲】
【請求項１】
背部の中央部にエンブレムが表示された携帯端末機器のスタンドであり、
固定可能な支柱(3)と、携帯端末機器を背部から保持する保持手段(2)と、前記支柱と保持手段を連結する連結手段(4)により構成され、
前記連結手段(4)は、前記保持手段(2)の背面に沿って延びる水平軸(X)と、該水平軸に直交すると共に前記携帯端末機器の中央を貫通する垂直軸(Y)に関して、前記保持手段を前記水平軸(X)の廻りに回動自在かつ固定保持自在とする第１枢結手段(5)と、前記保持手段を前記垂直軸(Y)の廻りに回動自在かつ固定保持自在とする第２枢結手段(6)を構成しており、
前記第２枢結手段(6)は、携帯端末機器を水平姿勢又は直立姿勢とさせた基準位置(P)と、該基準位置から前記垂直軸(Y)の廻りで時計針方向又は反時計針方向に向けて少なくとも９０度回動した回動位置(P1)との間で、前記保持手段(2)を回動させるように、筒軸(13)と該筒軸を回動自在に保持する軸受孔(14)から成る回動機構(11)を構成し、前記筒軸に臨む窓孔(22)を保持手段(2)に開設することにより、第２枢結手段(6)の背後から前記エンブレムを透視可能とするように構成しており、
更に、前記第２枢結手段(6)は、保持手段(2)が基準位置(P)と回動位置(P1)に回動されたとき、嵌脱自在に嵌合することにより該保持手段を固定保持する停止保持機構(12)を構成して成ることを特徴とする携帯端末機器用スタンド。
【請求項２】
前記第２枢結手段(6)の停止保持機構(12)は、前記筒軸(13)の周囲に位置して前記回動機構(11)を回動したとき、垂直軸(Y)を中心とする円周方向に相互に摺動する第１摺動部材(15)と第２摺動部材(16)を構成し、
第１摺動部材(15)は、前記円周方向に間隔をあけてソケット(25)を配置すると共に、該ソケットに第２摺動部材に向けて弾発付勢されたボール(23)を設け、
第２摺動部材(16)は、前記円周方向に間隔をあけて前記ボールを嵌入自在とする凹部(24)を配設しており、
前記保持手段を基準位置(P)と回動位置(P1)に回動したとき、前記ボール(23)が所定の凹部(24)に嵌入するように構成して成ることを特徴とする請求項１に記載の携帯端末機器用スタンド。
【請求項３】
前記保持手段(2)は、携帯端末機器の背部を保持した状態で、該携帯端末機器を分離不能に固着するロック装置(27)を設けており、
前記ロック装置(27)は、保持手段(2)の背部に固設されたハウジング(30)と、携帯端末機器を分離不能に拘束するロック手段(31)を備え、
前記ロック手段(31)は、ハウジング(30)に挿脱自在に挿入される挿入部(33)と、該挿入部をハウジングに挿入したとき携帯端末機器(1)を分離不能に拘束するロック部(34)を設けており、
前記ハウジング(30)の内部に専用の解錠装置により外部から解錠可能な施錠手段を設け、前記挿入部(33)をハウジング(30)に挿入したとき前記施錠手段により挿入部(33)をハウジング(30)から抜き出し不能に施錠するように構成して成ることを特徴とする請求項１又は２に記載の携帯端末機器用スタンド。
【発明の詳細な説明】
【技術分野】
【０００１】
本発明は、スマートフォンやタブレット端末機器、その他の携帯端末機器を卓上等に保持するための携帯端末機器用スタンドに関する。
【背景技術】
【０００２】
従来、例えば、携帯電話機器の販売店等において、スマートフォンやタブレット端末機器等を商品として展示しており、顧客が手を触れながら商品を吟味できるようにスタンドに保持している。
【先行技術文献】
【特許文献】
【０００３】
【特許文献１】特開２０１０−４５０８号公報
【発明の概要】
【発明が解決しようとする課題】
【０００４】
ところで、近年の携帯端末機器は、機器を縦向き又は横向きに回動すると、液晶パネル等のディスプレイに表示された画面が追従することにより回動した状態で表示されるように構成され、この点が重要なセールスポイントとされている。従って、携帯端末機器を展示するスタンドは、顧客がこのような動作を自由に行うことができるように構成することが望ましい。
【０００５】
本発明は、携帯端末機器の背部に沿って延びる水平軸と、該水平軸に直交すると共に前記携帯端末機器の中心を貫通する垂直軸に関して、前記水平軸の廻りに回動自在かつ固定保持自在であると共に、前記垂直軸の廻りに回動自在かつ固定保持自在とした携帯端末機器用スタンドを提供するものである。
【０００６】
尚、本発明のスタンドは、販売店等において携帯端末機器を商品として展示する展示装置として利用できる他、携帯端末機器を購入したユーザ等が自ら使用するための保持装置としても利用することができる。
【課題を解決するための手段】
【０００７】
そこで、本発明が手段として構成したところは、背部の中央部にエンブレムが表示された携帯端末機器のスタンドであり、固定可能な支柱と、携帯端末機器を背部から保持する保持手段と、前記支柱と保持手段を連結する連結手段により構成され、前記連結手段は、前記保持手段の背面に沿って延びる水平軸と、該水平軸に直交すると共に前記携帯端末機器の中央を貫通する垂直軸に関して、前記保持手段を前記水平軸の廻りに回動自在かつ固定保持自在とする第１枢結手段と、前記保持手段を前記垂直軸の廻りに回動自在かつ固定保持自在とする第２枢結手段を構成しており、前記第２枢結手段は、携帯端末機器を水平姿勢又は直立姿勢とさせた基準位置と、該基準位置から前記垂直軸の廻りで時計針方向又は反時計針方向に向けて少なくとも９０度回動した回動位置との間で、前記保持手段を回動させるように、筒軸と該筒軸を回動自在に保持する軸受孔から成る回動機構を構成し、前記筒軸に臨む窓孔を保持手段に開設することにより、第２枢結手段の背後から前記エンブレムを透視可能とするように構成しており、更に、前記第２枢結手段は、保持手段が基準位置と回動位置に回動されたとき、嵌脱自在に嵌合することにより該保持手段を固定保持する停止保持機構を構成して成る点にある。
【０００９】
前記第２枢結手段の停止保持機構は、前記筒軸の周囲に位置して前記回動機構を回動したとき、垂直軸を中心とする円周方向に相互に摺動する第１摺動部材と第２摺動部材を構成し、第１摺動部材は、前記円周方向に間隔をあけてソケットを配置すると共に、該ソケットに第２摺動部材に向けて弾発付勢されたボールを設け、第２摺動部材は、前記円周方向に間隔をあけて前記ボールを嵌入自在とする凹部を配設しており、前記保持手段を基準位置と回動位置に回動したとき、前記ボールが所定の凹部に嵌入するように構成することが好ましい。
【００１０】
前記保持手段は、携帯端末機器の背部を保持した状態で、該携帯端末機器を分離不能に固着するロック装置を設けており、前記ロック装置は、保持手段の背部に固設されたハウジングと、携帯端末機器を分離不能に拘束するロック手段を備え、前記ロック手段は、ハウジングに挿脱自在に挿入される挿入部と、該挿入部をハウジングに挿入したとき携帯端末機器を分離不能に拘束するロック部を設けており、前記ハウジングの内部に専用の解錠装置により外部から解錠可能な施錠手段を設け、前記挿入部をハウジングに挿入したとき前記施錠手段により挿入部をハウジングから抜き出し不能に施錠するように構成することが好ましい。
【発明の効果】
【００１１】
本発明によれば、携帯端末機器１の背部に沿って延びる水平軸Ｘと、該水平軸に直交すると共に前記携帯端末機器１の中心を貫通する垂直軸Ｙに関して、前記水平軸Ｘの廻りに回動自在かつ固定保持自在であると共に、前記垂直軸Ｙの廻りに回動自在かつ固定保持自在であり、しかも、背後から携帯端末機器１のエンブレムを視認可能とした携帯端末機器用スタンドを提供できる効果がある。
【図面の簡単な説明】
【００１２】
【図１】本発明の第１実施形態に関して携帯端末機器を保持した状態を正面側から示す斜視図である。
【図２】本発明の第１実施形態に関して携帯端末機器を取外した状態を正面側から示す斜視図である。
【図３】本発明の第１実施形態に関して携帯端末機器を保持した状態を背面側から示す斜視図である。
【図４】本発明の第１実施形態を分解した状態で背面側から示す斜視図である。
【図５】本発明の第１実施形態における第２枢結手段を分解した状態で示す断面図である。
【図６】本発明の第１実施形態における第２枢結手段の停止保持機構の作用に関して、基準位置又は回動位置においてボールが凹部に嵌入した状態を示す断面図である。
【図７】本発明の第１実施形態における第２枢結手段の停止保持機構の作用に関して、保持手段を回動中の状態を示す断面図である。
【図８】本発明の第２実施形態を背面側から示す斜視図である。
【図９】本発明の第２実施形態における第１枢結手段を分解した状態で示す斜視図である。
【図１０】本発明の第２実施形態における第２枢結手段を分解した状態で示す斜視図である。
【図１１】本発明の第２実施形態における第２枢結手段の停止保持機構の作用に関して、基準位置においてボールが凹部に嵌入した状態を示す展開図である。
【図１２】本発明の第２実施形態における第２枢結手段の停止保持機構の作用に関して、回動位置においてボールが凹部に嵌入した状態を示す展開図である。
【発明を実施するための形態】
【００１３】
以下図面に基づいて本発明の好ましい実施形態を詳述する。
【００１４】
（第１実施形態）
図１ないし図７は、本発明の第１実施形態を示している。図１ないし図３に示すように、携帯端末機器用スタンドは、スマートフォンやタブレット端末機器等の矩形盤状形態とされた携帯端末機器１を背部から保持する板状の保持手段２と、卓上等に固定可能な支柱３と、前記支柱３と保持手段２を連結する連結手段４により構成されている。
【００１５】
前記連結手段４は、図３に示すように、前記保持手段２の背面に沿って延びる水平軸Ｘと、該水平軸に直交すると共に前記携帯端末機器１の中央を貫通する垂直軸Ｙに関して、前記保持手段２を前記水平軸Ｘの廻りに回動自在かつ固定保持自在とする第１枢結手段５と、前記保持手段２を前記垂直軸Ｙの廻りに回動自在かつ固定保持自在とする第２枢結手段６を構成している。
【００１６】
前記第１枢結手段５は、図４に示すように、支柱３から延設された固定ブラケット７、７と、第２枢結手段６から延設された回動ブラケット８、８をそれぞれ重ね合わせた状態で、前記水平軸Ｘを規定するボルト・ナット等の枢軸９で枢結することにより構成され、ワッシャ等から成る固定保持手段１０を設けている。後述するように、回動ブラケット８、８を有する第２枢結手段６は、保持手段２に設けられるので、これにより、保持手段２は、支柱３に対して水平軸Ｘの廻りに回動自在とされる。前記固定保持手段１０は、多例えば、可撓性樹脂製又はスプリング製のワッシャ等により摩擦抵抗手段を構成し、保持手段２を水平軸Ｘの廻りの任意の回動位置で固定保持する。
【００１７】
前記第２枢結手段６は、図４ないし図７に示すように、保持手段２に保持された携帯端末機器１を水平姿勢又は直立姿勢とさせた基準位置Ｐと、該基準位置から前記垂直軸Ｙの廻りで時計針方向又は反時計針方向に向けて少なくとも９０度回動した回動位置Ｐ１、Ｐ２との間で、前記保持手段２を回動させる回動機構１１を構成し、更に、保持手段２が基準位置と回動位置に回動されたとき、嵌脱自在に嵌合することにより該保持手段２を固定保持する停止保持機構１２を構成している。
【００１８】
前記回動機構１１は、垂直軸Ｙを中心とする円筒状の筒軸１３を保持手段２の中央部から背後に向けて突設し、該筒軸１３を回動自在に保持する軸受孔１４を形成している。
【００１９】
図示実施形態の場合、前記筒軸１３を挿通させた状態で保持手段２の背面にハウジング状の第１摺動部材１５が固着され、前記回動ブラケット８、８と前記軸受孔１４を設けた環板状の第２摺動部材１６を第１摺動部材１５に重ね合わせ、前記軸受孔１４に筒軸１３を回動自在に保持させた状態で、第１摺動部材１５及び第２摺動部材１６をカバー部材１７により抱持すると共に、該カバー部材１７をビス１８等で第１摺動部材１５の側部に固着している。これにより、第１枢結手段５を構成する第２摺動部材１６に対して、保持手段２に固着された第１摺動部材１５及び筒軸１３を垂直軸Ｙの廻りに回動自在とする回動機構１１が構成されている。
【００２０】
この際、回動機構１１は、回動規制手段１９を設けることが好ましく、図例の場合、前記筒軸１３と同心円となる円周上の基準位置Ｐから、時計針方向に９０度の角度θ１の範囲と、反時計針方向に９０度の角度θ２の範囲を有して円周方向に連続して延びるスロット２０を第１摺動部材１５に形成し、該スロット２０に挿入されるピン２１を第２摺動部材１６に固設している。従って、図示実施形態の場合、垂直軸Ｙの廻りの回動方向に関して、保持手段２が携帯端末機器１を横長姿勢とさせた回動位置を基準位置Ｐとして、ピン２１がスロット２０の中間位置に停止し、この状態から保持手段２を角度θ１に向けて回動すると、携帯端末機器１を縦長姿勢とさせた回動位置Ｐ１でピン２１がスロット２０の一端に当接し、反対に、保持手段２を角度θ２に向けて回動すると、携帯端末機器１を倒立した縦長姿勢とさせた回動位置Ｐ２でピン２１がスリット２０の他端に当接するように構成されている。
【００２１】
携帯端末機器１は、例えば「ｉＰａｄ」（登録商標）のタブレット端末機器のように、通常、背部の中央部にロゴマーク等のエンブレム（図示省略）が表示されている。従って、販売店等における商品展示の際に、これを隠蔽することは好ましくない。そこで、前記保持手段２は、前記筒軸１３に臨む窓孔２２を開設している。この窓孔２２は、筒軸１３、第２摺動部材１６の軸受孔１４、カバー部材１７の開口部１７ａにより開放されており、従って、図３に示すように、第２枢結手段６の背後から前記エンブレムを透視できるように構成されている。
【００２２】
前記停止保持機構１２は、図４及び図５に示すように、第１摺動部材１５の垂直軸Ｙを中心とする円周方向に間隔をあけて配設された鋼球等のボール２３と、第２摺動部材１６の前記円周に対応する円周方向に間隔をあけて配設された凹部２４により構成されている。前記ボール２３は、第１摺動部材１５に設けられたソケット２５にスプリング２６を介して没入自在に装入され、該スプリング２６により第２摺動部材１６に向けて弾発付勢されている。前記凹部２４は、図例の場合、第２摺動部材１６に貫設された小穴により構成されているが、プレス成形された凹みにより構成しても良い。
【００２３】
前記複数のボール２３と複数の凹部２４の配設レイアウトは、上述のように、保持手段２を回動して基準位置Ｐと、回動位置Ｐ１及びＰ２に位置させたとき、少なくとも１個以上のボール２３が基準位置又は回動位置に対応する凹部２４に嵌入するように構成されている。そして、この位置から保持手段２を垂直軸Ｙの廻りに回動したとき、ボール２３はスプリング２６に抗してソケット２５の内部に向けて没入することにより凹部２４から後退し、回転しながら第２摺動部材１６の円周に沿って移動する。
【００２４】
図６は、保持手段２を基準位置Ｐ又は回動位置Ｐ１若しくは回動位置Ｐ２に位置させた状態を示しており、スプリング２６により弾発付勢されたボール２３が所定の凹部２４に嵌入し、これにより回動機構１１の自由な回動を妨げ、保持手段２を基準位置Ｐ又は回動位置Ｐ１若しくは回動位置Ｐ２に固定保持している。尚、保持手段２は、第１枢結手段５を介して、矢印ＸＲで示すように、水平軸Ｘの廻りに回動自在であると共に、所定の回動位置で前記固定保持手段１０により固定保持自在であり、携帯端末機器１を保持する保持手段２を上下首振り方向に角度調整可能とすることにより、携帯端末機器１の画面を見やすい姿勢に保持する。
【００２５】
図７は、保持手段２を垂直軸Ｙの廻りに回動させているときの状態を示しており、前記停止位置から保持手段２を垂直軸Ｙの廻りに回動すると、ボール２３が前記凹部２４から後退し、第２摺動部材１６の円周に沿って転動することにより、矢印ＹＲで示すように、２摺動部材１６に対する第１摺動部材１５の回動を許す。
【００２６】
本発明の携帯端末機器用スタンドは、販売店等において携帯端末機器１を商品として展示する展示装置として利用する場合、顧客を装う不正者により、携帯端末機器１が盗難にあわないように、携帯端末機器１を保持手段２に保持した状態で分離不能に固着するロック装置２７を設けることが好ましい。
【００２７】
図１及び図２に示すように、保持手段２は、矩形盤状形態とされた携帯端末機器１の四隅を保持するようにＬ形に形成された４個のコーナ保持部材２８を固設しており、１辺において隣り合う一対のコーナ保持部材２８ａ、２８ａに差込みポケット２９を形成する一方、他辺において隣り合う一対のコーナ保持部材２８ｂ、２８ｂの正面を開放している。従って、携帯端末機器１は、１辺における隅部を前記差込みポケット２９、２９に挿入した後、携帯端末機器１の背面を保持手段２の表面に重ね合わせることにより、他辺における隅部を開放されたコーナ保持部材２８ｂ、２８ｂに嵌合させ、これにより保持手段２に保持される。携帯端末機器１を保持手段２から取外すときは、前記と逆の動作を行えば良い。
【００２８】
そこで、正面を開放した前記一対のコーナ保持部材２８ｂ、２８ｂの間に位置してロック装置２７が設けられており、ロック装置２７は、保持手段２の背部に固設されたハウジング３０と、携帯端末機器１を分離不能に拘束するロック手段３１を備えている。
【００２９】
前記ロック手段３１は、ハウジング３０の差込み口３２に挿脱自在に挿入される挿入部３３と、該挿入部３３を差込み口３２からハウジング３０に挿入したとき携帯端末機器１が前記コーナ保持部材２８ｂ、２８ｂの開放部から脱出しないように該携帯端末機器１の縁部表面に係止することにより拘束するロック部３４を設けている。
【００３０】
前記挿入部３３をハウジング３０に挿入したとき、該挿入部３３を抜き出し不能となるように施錠する施錠手段がハウジング３０の内部に設けられている。この施錠手段は、図示省略しているが、挿入部３３を挿入したとき自動的に施錠ロックが働いて該挿入部３３の抜き出しを阻止し、販売店等の店員が管理する専用の解錠装置を使用したときだけ解錠可能である。このような施錠手段及び解錠装置は、例えば、本出願人が過去に提案した特開２００７−３３１８４３号公報や特開２０１０−２８２４５２号公報により公知とされた構造を採用することができる。
【００３１】
尚、図示実施形態の場合、図３に示すように、携帯端末機器１の電源等は、支柱３にアダプター３５を添設することにより提供されるが、支柱３の内部にアダプター３５を内装するように構成しても良い。
【００３２】
（第２実施形態）
図８ないし図１２は、本発明の第２実施形態を示している。上記第１実施形態と同様に、携帯端末機器用スタンドは、スマートフォンやタブレット端末機器等の矩形盤状形態とされた携帯端末機器１を保持する板状の保持手段２と、卓上等に固定可能な支柱３と、前記支柱３と保持手段２を連結する連結手段４により構成されている。
【００３３】
第２実施形態は、支柱３、連結手段４を構成する第１枢結手段５及び第２枢結手段６、第２枢結手段６を構成する回動機構１１、停止保持機構１２を構成する第１摺動部材１５及び第２摺動部材等、構成部材の可及的多数を合成樹脂により成形すると共に、ユニット化することにより、量産に適し、組立て作業が容易な携帯端末機器用スタンドを提供するものである。従って、上記第１実施形態と同一又は類似の構成部分は、上記第１実施形態について図示した符号と同じ符号に基づいて説明する。
【００３４】
支柱３は、合成樹脂により中空柱状に形成され、内部に上述のアダプター等の電源を内装する収容室３ａを形成し、正面側を開閉自在な蓋３ｂにより施蓋すると共に、背面にＡＣ電源の取入れ口３ｃを開設している。
【００３５】
支柱３の頂部両側に設けた固定ブラケット７、７と、第２摺動部材１６に設けた回動ブラケット８、８を重ね合わせ、枢軸９で枢結することにより、第１枢結手段５を構成している点は、上記第１実施形態と同様である。
【００３６】
第２実施形態において、第２枢結手段６は、図１０に示すように、保持手段２の背面に配置される第１摺動部材１５と、該第１摺動部材１５に重ね合わせられる第２摺動部材１６と、重ね合わせた第１摺動部材１５と第２摺動部材１６を抱持した状態で保持手段２の背面に固着されるカバー部材１７により構成され、それぞれが合成樹脂により一体成形されている。
【００３７】
第１摺動部材１５は、中央部に円形の軸受孔１４を開口し、四隅にビス孔３６を設けた矩形板部３７の背面に、前記軸受孔１４に沿う環状突部３８を設けており、該環状突部３８の直径方向に対向する位置に凹入形成したソケット２５にスプリング２６を介してボール２３を装入するように構成され、前記一対のソケット２５、２５の間に延びる環状突部３８に沿ってスロット２０、２０を形成している。
【００３８】
第２摺動部材１６は、前記環状突部３８に重ね合わせられる環状板部３９の内周部から前記軸受孔１２に回動自在に挿入される筒軸１３を突設しており、環状板部３９の背面に前記回動ブラケット８、８を突設し、環状板部３９の正面には、前記ボール２３を嵌脱自在に嵌入可能とする凹部２４を周方向に間隔をあけて凹設すると共に、前記スロット２０、２０にそれぞれ挿入されるピン２１、２１を突出形成している。
【００３９】
従って、第１摺動部材１５に第２摺動部材１６を重ね合わせると、相互に回動自在に嵌合される軸受孔１４と筒軸１３により、第２摺動部材１６に対して第１摺動部材１５を回動自在とする回動機構１１が構成されている。
【００４０】
図例の場合、一対のスロット２０、２０は、それぞれ軸受孔１４の中心により規定される円周に対して９０度の範囲で延びるように形成され、第１摺動部材１５を基準位置Ｐに回動位置させたとき、該スロット２０の一端部をピン２１に当接させ、第１摺動部材１５を基準位置Ｐから時計針方向又は反時計針方向の１方向に９０度だけ回動させることにより回動位置Ｐ１に位置させたとき、該スロット２０の他端部をピン２１に当接させるように構成され、これにより回動規制手段１９が構成されている。
【００４１】
図示実施形態の場合、第２摺動部材１６に対する第１摺動部材１５の回動範囲を９０度としているため、環状板部３９の周方向に９０度の等間隔をあけて４個の凹部２４が配置されており、第１摺動部材１５を基準位置Ｐに回動位置させた状態で、ボール２３、２３が所定の一対の凹部２４、２４に嵌入し、第１摺動部材１５を回動位置Ｐ１に回動位置させたとき、ボール２３、２３が別の一対の凹部２４、２４に嵌入するように構成され、これにより停止保持機構１２を構成している。
【００４２】
第１摺動部材１５と第２摺動部材１６は、相互に重ね合わせられた状態でカバー部材１７により抱持され、ユニットを構成した状態で保持手段２の背面に固着される。カバー部材１７は、フランジ部４０の内側に抱持室４１を形成し、該抱持室４１の四隅にボス４１ｂを設けている。そこで、重ね合わせられた第１摺動部材１５と第２摺動部材１６を抱持室４１に収容させ、第１摺動部材１５の矩形板部３７をボス４１ｂに対して、ビス孔３６を介してビス止めすることにより、第１摺動部材１５と第２摺動部材１６とカバー部材１７の三者を組付けたユニットが形成される。この状態で、第２摺動部材１６は、回動ブラケット８、８を抱持室４１の壁面４１ａの開口部１７ａから突出し、環状板部３９を第１摺動部材１５の環状突部３８とカバー部材１７の壁面４１ａの間に保持される。
【００４３】
前記ユニットは、カバー部材１７のフランジ４０を保持手段２の背面に沿わせ、該フランジ４０のビス孔４２を介してビス止め等により保持手段２に固着される。従って、回動ブラケット８、８を支柱３に連結した状態で、第２摺動部材１６に対して、保持手段２と共にカバー部材１７及び第１摺動部材１５が垂直軸Ｙの廻りに回動自在とされる。
【００４４】
図示実施形態の場合、カバー部材１７と第２摺動部材１６の間に第２の回動規制手段４３が設けられている。第２の回動規制手段４３は、第２摺動部材１６の環状板部３９の外周縁から直径方向に突設された一対の受止め部４４と、カバー部材１７の抱持室４１の内周部に突設された当接片４５により構成されている。図例の場合、上述のように基準位置Ｐと回動位置Ｐ１の間の回動範囲を９０度としているので、垂直軸Ｙの廻りに等間隔で４個の当接片４５が設けられており、第１摺動部材１５を基準位置Ｐに回動位置させた状態で、所定の当接片４５が受止め部４４に当接して第１摺動部材１５のそれ以上の回動を阻止し、第１摺動部材１５を回動位置Ｐ１に回動位置させたとき、別の当接片４５が受止め部４４に当接して第１摺動部材１５のそれ以上の回動を阻止するように構成され、これにより第２の回動規制手段４３を構成している。
【００４５】
尚、第２実施形態においても、前記保持手段２は、前記筒軸１３及び開口部１７ａに臨む窓孔２２を開設しており、ユニットを構成するカバー部材１７の背後から携帯端末機器１のエンブレムを透視できるように構成されている。
【００４６】
図１１及び図１２は、垂直軸Ｙの廻りに回動自在なカバー部材１７及び第１摺動部材１５に対して、垂直軸Ｙの廻りに回動不能な第２摺動部材１６を左右に展開配置した状態を示しており、これに基づく作用を説明している。
【００４７】
図１１は、保持手段２に固着されたカバー部材１７及び第１摺動部材１５を矢印Ｒ１で示すように回動することにより基準位置Ｐに位置させた状態を示している。この状態で、停止保持機構１２を構成するスプリング２６により弾発付勢されたボール２３が第２摺動部材１６の所定の凹部２４に嵌入し、これにより回動機構１１の自由な回動を妨げ、保持手段２を基準位置Ｐ又に固定保持している。また、回動規制手段１９を構成するスロット２０の一端部がピン２１に当接し、更に、第２の回動規制手段４３を構成する当接片４５が受止め部４４に当接することにより、矢印Ｒ１方向への更なる回動を阻止している。
【００４８】
図１２は、前記基準位置Ｐから保持手段２に固着されたカバー部材１７及び第１摺動部材１５を矢印Ｒ２で示すように逆転方向に回動することにより回動位置Ｐ１に位置させた状態を示している。この状態で、停止保持機構１２を構成するスプリング２６により弾発付勢されたボール２３が第２摺動部材１６の所定の凹部２４に嵌入し、これにより回動機構１１の自由な回動を妨げ、保持手段２を回動位置Ｐ１又に固定保持している。また、回動規制手段１９を構成するスロット２０の他端部がピン２１に当接し、更に、第２の回動規制手段４３を構成する当接片４５が受止め部４４に当接することにより、矢印Ｒ２方向への更なる回動を阻止している。
【符号の説明】
【００４９】
１  携帯端末機器
２  保持手段
３  支柱
４  連結手段
５  第１枢結手段
６  第２枢結手段
７  固定ブラケット
８  回動ブラケット
９  枢軸
１０  固定保持手段
１１  回動機構
１２  停止保持機構
１３  筒軸
１４  軸受孔
１５  第１摺動部材
１６  第２摺動部材
１７  カバー部材
１７ａ  開口部
１９  回動規制手段
２０  スロット
２１  ピン
２２  窓孔
２３  ボール
２４  凹部
２５  ソケット
２６  スプリング
２７  ロック装置
２８  コーナ保持部材
２９  差込みポケット
３０  ハウジング
３１  ロック手段
３２  差込み口
３３  挿入部
３４  ロック部
【図１】
0005357936.tif 000002
【図２】
0005357936.tif 000003
【図３】
0005357936.tif 000004
【図４】
0005357936.tif 000005
【図５】
0005357936.tif 000006
【図６】
0005357936.tif 000007
【図７】
0005357936.tif 000008
【図８】
0005357936.tif 000009
【図９】
0005357936.tif 000010
【図１０】
0005357936.tif 000011
【図１１】
0005357936.tif 000012
【図１２】
0005357936.tif 000013